(57)【特許請求の範囲】
【請求項１】
家具と部屋の天井面との間に生じる隙間を塞ぐものであって、家具本体の上部に昇降可能に配された幕板部材と、該幕板部材を昇降させる昇降手段とを備えるとともに、最大上昇時における前記幕板部材の前後面板の下端が、前記家具本体の扉及び背板の上端よりも下方に位置することを特徴とする家具の幕板装置。
【請求項２】
前記幕板部材は方形枠状であって、その左右側面板が前記家具本体の左右側板と面一とされ、前記幕板部材の上昇時に前記幕板部材の左右側面板と前記家具本体の左右側板との間に生じる隙間を塞ぐ化粧材が前記幕板部材内に設けられた請求項１記載の家具の幕板装置。
【請求項３】
前記昇降手段は、一端が前記幕板部材側に回転可能に軸支され他端が前記家具本体側に螺合された左右一対のボルトと、該ボルトを手動操作により回転させるためのハンドルとを備えた請求項１又は２記載の家具の幕板装置。
【発明の詳細な説明】
【０００１】
【発明の属する技術分野】
本発明は、家具と部屋の天井面との間に生じる隙間を塞ぐ幕板装置に関する。
【０００２】
【従来の技術】
一般に、ビルトイン家具は、その設置場所の内寸に対してある程度余裕を持たせた規格寸法で量産されることが多く、これは部屋の天井や壁の不陸、断熱構造の採用等によりその設置場所の内寸が変わったり、規格住宅であっても設置場所の天井面の高さが若干異なることがあるためであり、従ってこの家具を設置場所に設置した場合には、家具と天井面との間に隙間が生じることになり、この隙間を塞ぐ処置が必要となる。
【０００３】
従来においては、図６に示すように、合板（１）を家具（２）の上面前端部に取り付けて天井面（３）との間の隙間を塞いだり、また図７に示すように、軟質樹脂材（４）を家具（２）の上面前端部に取り付けて天井面（３）との間の隙間を塞いだり、さらには図８に示すように、天井面（３）から角柱（５）を介して天井面（３）と家具（２）との間の隙間に至るまでのクロス（６）を貼るといった処置がなされていた。
【０００４】
【発明が解決しようとする課題】
しかしながら、図６に示す従来例では、現場での職人による合板（１）の削り合わせといった煩雑な作業が必要であり、しかも合板（１）の突出量が決まってしまうため、家具（２）を所定の設置場所に設置した後で他の場所に移し変えることが困難であった。
【０００５】
図７に示す従来例では、軟質樹脂材（４）が撓むことによって隙間の大きさが多少変わっても対応できるようになっているが、軟質樹脂材（４）の突出量は決まっているので、上記と同様に家具（２）の移し変えが困難である。しかも、軟質樹脂材（４）の突出量が大きいと軟質樹脂材（４）に腰がなくなって撓み易くなるため、突出量はさほど大きくすることができず、これにより数ミリ程度の小さな隙間にしか対応できない。
【０００６】
図８に示す従来例においては、クロス（６）を貼る作業が非常に煩雑となり、しかも家具（２）を所定の設置場所から移動すると、クロス（６）が天井面（３）に中途半端に貼られた状態で残るため、設置した後に移し変えのない家具（２）に限定される。
このように、従来の処置では、手間がかかることが多く、また家具（２）の移し変えに際して大工工事や仕上工事が必要となり、今後さらにニーズが高まると予想される家具の移し変えを伴うリフォームに対応しずらいといった不具合があった。
【０００７】
本発明は、上記に鑑み、隙間を簡単に塞ぐことができ、家具の移し変えに伴う隙間の変化にも柔軟に対応でき、しかもその調整を素人にでも簡単に行うことができる幕板装置の提供を目的とする。
【０００８】
【課題を解決するための手段】
上記課題を解決するための手段は、家具本体の上部に昇降可能に配された幕板部材と、該幕板部材を昇降させる昇降手段とを備えたものである。これにより、幕板部材を昇降させて家具と部屋の天井面との間に生じる隙間を簡単に塞ぐことができ、しかも一度設置した家具をリフォーム等に伴って移し変えたときに隙間の大きさが変わっても、容易に対応することができる。
【０００９】
さらに、最大上昇時における幕板部材の前後面板の下端が、家具本体の扉及び背板の上端よりも下方に位置している。また、幕板部材は方形枠状であって、その左右側面板が家具本体の左右側板と面一とされ、幕板部材の上昇時に幕板部材の左右側面板と家具本体の左右側板との間に生じる隙間を塞ぐ化粧材が幕板部材内に設けられている。これにより、幕板部材の上昇に伴って生じる家具の側面側、前面側及び背面側の隙間を塞ぐことができる。
【００１０】
さらに、昇降手段は、一端が幕板部材側に回転可能に軸支され他端が家具本体側に螺合された左右一対のボルトと、該ボルトを手動操作により回転させるためのハンドルとを備えている。これにより、手動でハンドルを操作するだけで、ボルトが回転して上下動し、幕板部材が昇降する。
【００１１】
【発明の実施の形態】
以下、本発明の実施形態を図面に基づいて詳細に説明する。図１は本発明の一実施形態の幕板装置の要部分解斜視図、図２は幕板装置を備えたクローゼットの分解斜視図、図３は幕板装置の要部平面図、図４は同じくその要部側面図、図５は幕板部材が上昇したときの幕板装置の要部側面図である。
【００１２】
本実施形態の幕板装置を備えたクローゼットは、図２に示すように、クローゼット本体（１０）と、該クローゼット本体（１０）の側部に配された隙間閉塞装置（１１）と、前記クローゼット本体（１０）の下部に配された走行装置（１２）とを備えている。
前記クローゼット本体（１０）は、ダボ孔付きの左右側板（１３）（１４）と、該両側板（１３）（１４）に開閉自在に取り付けられた扉（１５）と、前記両側板（１３）（１４）間に差し渡された背板（１６）と、両側板（１３）（１４）及び背板（１６）が立設された台輪（１７）付きの底板（１８）とから上面開放の箱形に形成されており、前記扉（１５）及び背板（１６）の上端部が両側板（１３）（１４）の上端部よりも上方に突出している。
【００１３】
そして、両側板（１３）（１４）間には、これらと平行にダボ孔付きの中間板（１９）が立設されている。この中間板（１９）と両側板（１３）（１４）との間には、前後一対の横材（２０）、及びダボ孔に挿入されたピンを介して複数の柵板（２１）が差し渡され、また引き出し式の複数の収納箱（２２）が収容されている。
前記隙間閉塞装置（１１）は、前後方向に配されたボルト（２５）をクローゼット本体（１０）の前面側よりドライバーによって回転させることにより、軟質部材（２６）の外方向への突出量を可変してクローゼットと部屋の壁面との隙間を塞ぐ構造となっている。
【００１４】
前記走行手段（１２）は、底板（１８）を貫通したハンドル（２７）を手動で回転させることにより、図示しないギア機構を介して４個のキャスタ−が台輪（１７）よりも下方に突出してクローゼットの走行を可能にする構造となっている。
そして、本実施形態の幕板装置（２９）は、図１乃至図５に示すように、クローゼット本体（１０）の上部に昇降可能に配された幕板部材（３０）と、該幕板部材（３０）を昇降させる昇降手段（３１）とを備えている。
【００１５】
前記幕板部材（３０）は、前後面板（３２）（３３）及び左右側面板（３４）（３５）が方形枠状に組み合わされてなり、この幕板部材（３０）の上面は、前後面板（３２）（３３）及び左右側面板（３４）（３５）の上端面がすべて同じ高さ位置に配されて平坦となっており、下面は、前後面板（３２）（３３）の下端部が左右側面板（３４）（３５）の下端部よりも下方に突出することによって段差が形成されている。なお、左右側面板（３４）（３５）の上端面の前後には、軟質樹脂等からなるクッション材（３６）が取り付けられている。
【００１６】
そして、幕板部材（３０）の前後面板（３２）（３３）がクローゼット本体（１０）の左右側板（１３）（１４）間に嵌り込んだ状態でクローゼット本体（１０）の横材（２０）の上端面に載置されるとともに、幕板部材（３０）の左右側面板（３４）（３５）がクローゼット本体（１０）の左右側板（１３）（１４）の上端面に載置されている。すなわち、幕板部材（３０）の下面の段差を利用して、幕板部材（３０）がクローゼット本体（１０）の上部に嵌合されている。この状態において、幕板部材（３０）の前後面板（３２）（３３）の外側にクローゼット本体（１０）の扉（１５）及び背板（１６）が位置し、幕板部材（３０）の左右側面板（３４）（３５）とクローゼット本体（１０）の左右側板（１３）（１４）とが面一となっている。これにより、クローゼットの美観を損なうことがなく、またクローゼットの側面同士を合わせて並置した場合でもクローゼット間に隙間が生じにくくなっている。
【００１７】
また、幕板部材（３０）の前後面板（３２）（３３）間には、左右側面板（３４）（３５）の内面に沿って左右一対の金属製の化粧材（４０）が差し渡されている。この化粧材（４０）は、その複数のビス挿入孔（４１）に内側よりビス（４２）を挿入することにより前後面板（３２）（３３）及び左右側面板（３４）（３５）に固定されている。そして、化粧材（４０）の左右側面板（３４）（３５）に対向する部分が、左右側面板（３４）（３５）の下端面よりも下方に突出しており、幕板部材（３０）の上昇に伴って生じる幕板部材（３０）の左右側面板（３４）（３５）とクローゼット本体（１０）の左右側板（１３）（１４）との間の隙間を塞ぐようになっている。
【００１８】
さらに、幕板部材（３０）の最大上昇時において、幕板部材（３０）の前後面板（３２）（３３）の下端が、クローゼット本体（１０）の扉（１５）及び背板（１６）の上端よりも下方に位置するように設定されており、幕板部材（３０）の上昇に伴って生じる前面側及び背面側の隙間を扉（１５）及び背面板（１６）によって塞ぐようになっている。
前記昇降手段（３１）は、一端が前記化粧材（４０）に溶接された左右一対の第一プレート（５０）と、クローゼット本体（１０）の左右側板（１３）（１４）にビス（５１）止めされた左右一対の第二プレート（５２）と、前記第一プレート（５０）と第二プレート（５２）とを連結する左右一対のボルト（５３）と、該ボルト（５３）を手動操作により回転させるためのハンドル（５４）とを備えている。
【００１９】
前記第一プレート（５０）は、金属板をＬ字状に折曲してなり、化粧材（４０）の中央下端に配置され、その水平部にはボルト挿入孔（６０）が形成されている。また、前記第二プレート（５２）は、金属板をＬ字状に折曲してなり、第一プレート（５０）の直下に配置され、その水平部には上下方向に突出したナット（６１）が一体的に形成されている。
【００２０】
前記ボルト（５３）は、その上端が割ピン挿入用の小孔（６２）を有する小径部（６３）とされ、この小径部（６３）が第一プレート（５０）のボルト挿入孔（６０）に下方より挿入され、第一プレート（５０）の水平部よりも上方に突出した小径部（６３）に抜け止めリング（６４）が外嵌されるとともに、小径部（６３）の小孔（６２）に図示しない割ピンが挿入されている。なお、ボルト（５３）の小径部（６３）に抜け止めリングを圧入すれば割ピンを廃止できる。
【００２１】
これによって、ボルト（５３）の上端が第一プレート（５０）に回転可能に軸支されるとともに、ボルト（５３）の第一プレート（５０）からの抜けが防止されている。また、ボルト（５３）の中間部は、第二プレート（５２）のナット（６１）に螺合されている。
前記ハンドル（５４）は、ボルト（５３）よりも大径の有底円筒状で、ボルト（５３）の下端に外嵌されている。
【００２２】
上記構成において、ビルトインクローゼットを部屋の所定の設置場所に設置したとき、部屋の天井面（６５）との間に隙間が生じると、この隙間を塞ぐために、左右のハンドル（５４）を手動で回転させる。
すると、図５に示すように、ボルト（５３）が上動してその先端の段差部分で第一プレート（５０）を押し上げ、これによって幕板部材（３０）が上昇し、その方形枠状の平坦な上面がクッション材（３６）を介して天井面（６５）に当接し、幕板部材（３０）によって天井面（６５）との隙間が閉塞される。このとき、天井面（６５）が傷付くことなく、また天井面（６５）に対して幕板部材（３０）が突っ張るので地震等によるクローゼットの転倒も防止できる。しかも、上述したようにクローゼットの側面側の隙間が化粧材（４０）によって塞がれ、前面及び背面側の隙間が扉（１５）及び背板（１６）によって塞がれ、クローゼットの美観を損なうこともない。
【００２３】
一方、ボルト（５３）を先程とは反対の方向に回転させると、図４に示すようにボルト（５３）が下動し、幕板部材（３０）は下降する。
このように、本実施形態の幕板装置（２９）は、ハンドル（５４）を回転させるだけの素人にでもできる極めて簡単な操作により幕板部材（３０）を昇降させて、クローゼットと部屋の天井面（６５）との間に生じる隙間を塞ぐことができ、一度設置したビルトインクローゼットをリフォーム等に伴って移し変えたときに、新たに大工工事や仕上工事を必要とせずに極めて容易に対応することができる。
【００２４】
なお、本発明は上記実施形態に限定されるものではなく、本発明の範囲内で上記実施形態に多くの修正及び変更を加え得ることは勿論である。例えば、上記実施形態においては、幕板装置をクローゼットに適用したが、タンスや本棚等といったの各種家具に適用してもよい。また、昇降手段として、リンク機構やピンオンラック機構を採用してもよい。
【００２５】
【発明の効果】
以上の説明から明らかなように、本発明によると、幕板部材を昇降させることによって、従来のように手間をかけずに家具と部屋の天井面との間に生じる隙間を簡単に塞ぐことができ、一度設置した家具をリフォーム等に伴って移し変えるときにも、従来のように新たに大工工事や仕上工事を必要とせずに極めて容易に対応することができる。また家具の前面側及び背面側の隙間を家具本体の扉及び背板によって塞ぐことができる。
【００２６】
また、幕板部材は方形枠状であるため、天井面には方形枠状の上面が広範囲にバランス良く面接触することになり、天井面を傷付けることがなく、また地震等における家具の転倒防止対策にもなる。また、幕板部材の上昇に伴って生じる幕板部材の左右側面板と家具本体の左右側板との間の隙間を化粧材によって塞ぐことができるので、幕板部材が昇降するにもかかわらず、家具に隙間が生じず美観を損なうことがない。
さらに、手動でハンドルを操作するだけの素人にでもできる極めて簡単な操作により、幕板部材を昇降させることができ、使用性が向上する。
【図面の簡単な説明】
【図１】本発明の一実施形態の幕板装置の要部分解斜視図である。
【図２】幕板装置を備えたクローゼットの分解斜視図である。
【図３】幕板装置の要部平面図である。
【図４】同じくその要部側面図である。
【図５】幕板部材が上昇したときの幕板装置の要部側面図である。
【図６】従来の隙間閉塞処理を示す図  である。
【図７】従来の他の隙間閉塞処理を示す図である。
【図８】従来のその他の隙間閉塞処理を示す図である。
【符号の説明】
（１０）  クローゼット本体
（１３）  左側板
（１４）  右側板
（１５）  扉
（１６）  背板
（３０）  幕板部材
（３１）  昇降手段
（３２）  前面板
（３３）  後面板
（３４）  左側面板
（３５）  右側面板
（４０）  化粧材
（５３）  ボルト
（５４）  ハンドル
（６５）  天井面
【図１】
0003587491.tif 000002
【図２】
0003587491.tif 000003
【図３】
0003587491.tif 000004
【図４】
0003587491.tif 000005
【図５】
0003587491.tif 000006
【図６】
0003587491.tif 000007
【図７】
0003587491.tif 000008
【図８】
0003587491.tif 000009